(57)【特許請求の範囲】
【請求項１】
尿を測定試料とするインドキシル硫酸の測定方法であって、
前記測定試料が尿そのもの又は尿の希釈物であり、
励起波長を２６０〜３００ｎｍの範囲から選択し、発光波長を、選択した励起波長よりも８０〜１８０ｎｍ大きい波長としたときの前記測定試料の蛍光強度から、前記測定試料におけるインドキシル硫酸の濃度を算出することを特徴とするインドキシル硫酸の測定方法。
【請求項２】
前記発光波長を３８０〜４２０ｎｍの範囲から選択することを特徴とする請求項１に記載のインドキシル硫酸の測定方法。
【請求項３】
前記励起波長を２７０〜２９０ｎｍの範囲から選択し、前記発光波長を３９０〜４１０ｎｍの範囲から選択することを特徴とする請求項１又は２に記載のインドキシル硫酸の測定方法。
【請求項４】
前記励起波長を２７０〜２９０ｎｍの範囲から選択し、前記発光波長を４００〜４２０ｎｍの範囲から選択することを特徴とする請求項１又は２に記載のインドキシル硫酸の測定方法。
【請求項５】
インドキシル硫酸の濃度が０．２〜２５μＭの範囲内である前記測定試料を、蛍光測定に直接供することを特徴とする請求項１〜４のいずれか１項に記載のインドキシル硫酸の測定方法。
【発明の詳細な説明】
【技術分野】
【０００１】
本発明はインドキシル硫酸の測定方法に関する。本発明の方法は、尿などの体液中におけるインドキシル硫酸を迅速、簡便かつ正確に測定できるものである。
【背景技術】
【０００２】
インドキシル硫酸はトリプトファンの代謝産物である。腸内細菌によりトリプトファンから産生されたインドールは、腸管から吸収され、肝臓においてインドキシルに代謝される。その後、さらに硫酸抱合を受けインドキシル硫酸となる。インドキシル硫酸は尿毒症物質として知られている。
【０００３】
血中ではインドキシル硫酸の９０％がアルブミンと結合している。そのため糸球体濾過は少なく、近位尿細管での尿中分泌が尿中インドキシル硫酸の主体である。また腎機能障害時には、糸球体・尿細管障害を反映して血中インドキシル硫酸濃度が上昇する。
【０００４】
インドキシル硫酸の測定方法としては、比色法（非特許文献１）、クロマトグラフィー法（非特許文献２）による測定が主に行われている。特許文献１にはＥＬＩＳＡ法によるインドキシル硫酸の測定方法が開示されている。また特許文献２には、インドキシル硫酸から生成させたホルマザン色素を指標とした測定方法が開示されている。
【先行技術文献】
【特許文献】
【０００５】
【特許文献１】特開平１０−２６５４５７号公報
【特許文献２】国際公開第２０１４／１２９４６０号
【非特許文献】
【０００６】
【非特許文献１】Rylance HJ., "The estimation of indoxyl sulphate in urine", Clin Chim Acta. 1969 Oct;26(1):99-103.
【非特許文献２】Paul M.M. Van Haard et al., "Chromatography of urinary indole derivatives", J Chromatogr., 1988 Jul 29;429:59-94
【発明の概要】
【発明が解決しようとする課題】
【０００７】
しかし、上記した従来技術のインドキシル硫酸の測定方法では、検体の抽出操作や前処理等が必要であり、かつ操作が煩雑である等の問題がある。そこで本発明は、より迅速かつ簡便に体液中インドキシル硫酸を測定できる技術を提供することを目的とする。
【課題を解決するための手段】
【０００８】
本発明者らは、ヒトから採取した尿検体におけるインドキシル硫酸の濃度を迅速かつ簡便に測定する技術について、鋭意検討を行った。その結果、特定範囲の励起波長及び発光波長の下で測定した尿の蛍光強度が、高速液体クロマトグラフィー（ＨＰＬＣ）法によって正確に測定したインドキシル硫酸濃度と高い相関係数を示すことを見出した。すなわち、意外なことに、夾雑物を多く含む尿などの体液をそのまま蛍光測定に供することによって、当該体液中のインドキシル硫酸を迅速、簡便かつ正確に測定できることを見出した。
【０００９】
上記した知見に基づいて提供される本発明の１つの様相は、体液を測定試料とするインドキシル硫酸の測定方法であって、励起波長を２６０〜３００ｎｍの範囲から選択し、発光波長を、選択した励起波長よりも１０〜２５０ｎｍ大きい波長としたときの前記測定試料の蛍光強度を指標として、前記測定試料におけるインドキシル硫酸の濃度を測定することを特徴とするインドキシル硫酸の測定方法である。
【００１０】
本発明は体液を測定試料とするインドキシル硫酸の測定方法に係るものである。本発明では、測定試料である体液の蛍光強度を指標としてインドキシル硫酸の濃度を測定する。本発明によれば、測定試料の蛍光強度を測定するだけでインドキシル硫酸の濃度を測定することができ、従来技術のような体液の抽出操作や前処理を必要としない。そのため、本発明によれば、体液中インドキシル硫酸を迅速、簡便かつ正確に測定することができる。
【００１１】
好ましくは、前記体液が尿である。
【００１２】
好ましくは、前記測定試料が尿そのもの又は尿の希釈物である。
【００１３】
かかる構成により、尿中インドキシル硫酸を迅速、簡便かつ正確に測定することができる。
【００１４】
好ましくは、前記発光波長を、選択した励起波長よりも８０〜１８０ｎｍ大きい波長とする。
【００１５】
好ましくは、前記発光波長を３８０〜４２０ｎｍの範囲から選択する。
【００１６】
好ましくは、前記励起波長を２７０〜２９０ｎｍの範囲から選択し、前記発光波長を３９０〜４１０ｎｍの範囲から選択する。
【００１７】
かかる構成により、より高感度かつ高精度で体液中インドキシル硫酸を測定することができる。
【００１８】
好ましくは、少なくとも０．２〜２５μＭの範囲を包含する既知濃度のインドキシル硫酸標準溶液の蛍光強度を測定し、当該測定値から作成した検量線に基づいて前記測定試料におけるインドキシル硫酸の濃度を算出する。
【発明の効果】
【００１９】
本発明によれば、体液の蛍光強度を直接測定するだけでインドキシル硫酸の濃度を測定することができるので、体液中インドキシル硫酸を迅速、簡便かつ正確に測定することができる。
【図面の簡単な説明】
【００２０】
【図１】尿検体の蛍光パターンを表すグラフである。
【図２】インドキシル硫酸の測定範囲の検討結果を表すグラフである。
【図３】実施例で作成したインドキシル硫酸の検量線を表すグラフである。
【図４】本発明の方法とＨＰＬＣ法との相関関係を表すグラフである。
【発明を実施するための形態】
【００２１】
本発明のインドキシル硫酸の測定方法は、体液を測定試料とするインドキシル硫酸の測定方法であって、特定範囲の励起波長と発光波長における前記測定試料の蛍光強度を指標として、前記測定試料におけるインドキシル硫酸の濃度を測定するものである。
【００２２】
測定試料となる体液の例としては、尿、血液が挙げられる。
【００２３】
好ましい実施形態では、体液として尿を用いる。またこの場合、蛍光測定に供する測定試料として、尿そのもの又は尿の希釈物を用いることが好ましい。すなわち本発明においては、尿の抽出操作や前処理は特に必要なく、尿又は尿の希釈物を蛍光測定に直接供することができる。
【００２４】
尿の希釈に用いる希釈液としては、蛍光測定に悪影響を及ぼさないものであれば特に限定はなく、水、生理食塩水、リン酸緩衝生理食塩水（ＰＢＳ）、各種の緩衝液、有機溶媒（ジメチルスルホキシド等）、などを適宜用いることができる。希釈液のｐＨとしては、蛍光物質が安定に存在できるものであればよく、例えば、ｐＨ６．０〜８．０の範囲から選択することができる。希釈液におけるイオン種やイオン強度についても、蛍光物質が安定に存在できるものであればよい。例えば、タンパク質が変性しない程度のイオン種やイオン強度を選択すればよい。また希釈液は、蛍光物質を含まないものであることが好ましい。
【００２５】
本発明では、励起波長を２６０〜３００ｎｍの範囲から選択し、発光波長を、選択した励起波長よりも１０〜２５０ｎｍ大きい波長としたときの蛍光強度を指標とする。これらの発光波長と励起波長の下で蛍光強度を測定することにより、ＨＰＬＣ法との高い相関関係が保たれ、正確な体液中インドキシル硫酸の測定が可能となる。
【００２６】
好ましくは、励起波長を２６０〜３００ｎｍの範囲から選択し、発光波長を、選択した励起波長よりも８０〜１８０ｎｍ大きい波長とする。励起波長と発光波長をこれらの範囲から選択することにより、ＨＰＬＣ法とのより高い相関関係が保たれ、体液中インドキシル硫酸をより正確に測定することができる。
【００２７】
より好ましくは、励起波長を２６０〜３００ｎｍの範囲から選択し、発光波長を３８０〜４２０ｎｍの範囲から選択する。かかる構成により、ＨＰＬＣ法とのさらに高い相関関係が保たれ、体液中インドキシル硫酸をさらに正確に測定することができる。
【００２８】
特に好ましくは、励起波長を２７０〜２９０ｎｍの範囲から選択し、発光波長を３９０〜４１０ｎｍの範囲から選択する。かかる構成により、ＨＰＬＣ法とのさらに高い相関関係が保たれ、体液中インドキシル硫酸をさらに正確に測定することができる。
【００２９】
好ましい励起波長と発光波長の具体的な組み合わせを、以下に挙げる。
【００３０】
・励起波長：２６０ｎｍ／発光波長２７０〜５１０ｎｍ
・励起波長：２７０ｎｍ／発光波長２８０〜５２０ｎｍ
・励起波長：２８０ｎｍ／発光波長２９０〜５３０ｎｍ
・励起波長：２９０ｎｍ／発光波長３００〜５４０ｎｍ
・励起波長：３００ｎｍ／発光波長３１０〜５５０ｎｍ
【００３１】
・励起波長：２６０ｎｍ／発光波長３４０〜４４０ｎｍ
・励起波長：２７０ｎｍ／発光波長３５０〜４５０ｎｍ
・励起波長：２８０ｎｍ／発光波長３６０〜４６０ｎｍ
・励起波長：２９０ｎｍ／発光波長３７０〜４７０ｎｍ
・励起波長：３００ｎｍ／発光波長３８０〜４８０ｎｍ
【００３２】
・励起波長：２６０ｎｍ／発光波長３８０〜４２０ｎｍ
・励起波長：２７０ｎｍ／発光波長３８０〜４２０ｎｍ
・励起波長：２８０ｎｍ／発光波長３８０〜４２０ｎｍ
・励起波長：２９０ｎｍ／発光波長３８０〜４２０ｎｍ
・励起波長：３００ｎｍ／発光波長３８０〜４２０ｎｍ
【００３３】
・励起波長：２６０ｎｍ／発光波長４００〜４６０ｎｍ
・励起波長：２７０ｎｍ／発光波長４００〜４６０ｎｍ
・励起波長：２８０ｎｍ／発光波長４００〜４６０ｎｍ
・励起波長：２９０ｎｍ／発光波長４００〜４６０ｎｍ
・励起波長：３００ｎｍ／発光波長４００〜４６０ｎｍ
【００３４】
・励起波長：２６０ｎｍ／発光波長４００〜４４０ｎｍ
・励起波長：２７０ｎｍ／発光波長４００〜４４０ｎｍ
・励起波長：２８０ｎｍ／発光波長４００〜４４０ｎｍ
・励起波長：２９０ｎｍ／発光波長４００〜４４０ｎｍ
・励起波長：３００ｎｍ／発光波長４００〜４４０ｎｍ
【００３５】
・励起波長２７０ｎｍ／発光波長３９０〜４２０ｎｍ
・励起波長２８０ｎｍ／発光波長３９０〜４２０ｎｍ
・励起波長２９０ｎｍ／発光波長３９０〜４２０ｎｍ
・励起波長２７０ｎｍ／発光波長３９０〜４１０ｎｍ
・励起波長２８０ｎｍ／発光波長３９０〜４１０ｎｍ
・励起波長２９０ｎｍ／発光波長３９０〜４１０ｎｍ
・励起波長２７０〜２９０ｎｍ／発光波長３９０ｎｍ
・励起波長２７０〜２９０ｎｍ／発光波長４００ｎｍ
・励起波長２７０〜２９０ｎｍ／発光波長４１０ｎｍ
・励起波長２７０〜２９０ｎｍ／発光波長４２０ｎｍ
・励起波長２８０ｎｍ／発光波長４００ｎｍ
【００３６】
本発明では、測定試料の蛍光強度を指標としてインドキシル硫酸を測定するが、その具体的操作の代表例は、検量線を用いてインドキシル硫酸の濃度を算出することである。例えば、段階希釈した濃度既知のインドキシル硫酸標準溶液の蛍光強度を並行して測定して検量線を作成し、当該検量線を用いて、測定試料の蛍光強度からインドキシル硫酸の濃度を算出することができる。インドキシル硫酸標準溶液は、例えば、精製されたインドキシル硫酸を水や緩衝液に溶解して作製することができる。
【００３７】
尿又は尿の希釈物を測定試料とする場合には、必要に応じてクレアチニン補正等の濃度補正を行ってもよい。尿中クレアチニンの測定方法としては、有機化学的測定法、紫外部吸収法、酵素的測定法、質量分析、などの公知の方法を用いることができる。このうち、紫外部吸収法は、尿又は尿の希釈物をそのまま測定試料とすることができ、簡便である。
クレアチニンによる補正以外では、尿の比重によって補正してもよい。
【００３８】
蛍光強度の測定は、公知の蛍光分析装置を用いて行うことができる。例えば、分光蛍光光度計を用いることにより、測定試料の蛍光強度を測定することができる。また、蛍光マイクロプレートリーダーを用いることにより、マイクロプレートの各穴に入れた複数の測定試料の蛍光強度を同時に測定することができる。
【００３９】
さらに、マイクロデバイス（マイクロ流体デバイス、μＴＡＳ）を用いた微量分析技術を応用することもできる。例えば、試料導入部と、試料導入部に連通するマイクロ流路と、マイクロ流路に連通するとともに光学セルとして機能する検体収容部とを備えたマイクロデバイスを用意する。そして、試料導入部から検体（例えば、尿そのもの又は尿希釈物）を導入し、マイクロ流路を経由して検体収容部に収容する。そして、検体収容部（光学セル）に収容された検体が発する蛍光強度を、蛍光分析装置で測定する。
このとき、マイクロデバイスとして検体収容部（光学セル）を２つ設けたものを採用し、一方の検体収容部を蛍光強度測定用、他方の検体収容部をクレアチニン濃度測定用として用いてもよい。この際のクレアチニン測定法としては、例えば、前記した紫外部測定法（２２０〜２５０ｎｍ）を用いることができる。
本発明にマイクロデバイスを適用することにより、微量の検体（測定試料）で蛍光測定を行うことが可能となる。さらに、光学セルの光路長（セルの厚み、液厚）を小さくすることにより、濃い尿であっても希釈を行わずに、尿そのものを測定試料とすることが可能となる。この際のセルの厚みとしては、例えば１００〜５００μｍ程度とすることができる。
【００４０】
本発明のインドキシル硫酸の測定方法によれば、測定試料に含まれる、少なくとも０．２μＭ〜１００μＭの濃度範囲のインドキシル硫酸を直接測定することができる。インドキシル硫酸濃度が０．２μＭ〜２５μＭの範囲である測定試料であれば、特に正確にインドキシル硫酸濃度を直接測定することができる。
【００４１】
以下に、実施例をもって本発明をさらに具体的に説明するが、本発明はこれらの実施例に限定されるものではない。
【実施例】
【００４２】
ボランティア８名から採取した尿検体を用いて、以下の実験を行った。
【００４３】
（１）ＨＰＬＣ法によるインドキシル硫酸測定
ＨＰＬＣ法（Clin Chem. 1988 Nov;34(11):2264-7. Accumulation of indoxyl sulfate, an inhibitor of drug-binding, in uremic serum as demonstrated by internal-surface reversed-phase liquid chromatography. Niwa T1, Takeda N, Tatematsu A, Maeda K）にて、各検体のインドキシル硫酸濃度を測定した。
【００４４】
（２）本発明の方法による蛍光測定（直接蛍光法）
各尿検体をＰＢＳで１００倍に希釈し、蛍光測定用の検体（測定試料）を調製した。各測定試料２００μＬを前処理等することなくそのまま蛍光測定用マイクロプレート（Greiner bio-one、762077）の各穴に入れ、マイクロプレートリーダー（Spectra Max Gemini EM; Molecular Devices, Sunnyvale, CA）にて蛍光強度を測定した。励起波長を２８０ｎｍとし、発光波長（蛍光波長）３２０ｎｍ〜５００ｎｍの範囲でスキャンした。図１に各測定試料の蛍光パターンを示す。いずれの測定試料でも発光波長３９０ｎｍに蛍光強度のピークがあった。
【００４５】
（３）測定範囲の検討
精製されたインドキシル硫酸（Aldrich社）を水に溶解して、濃度１００μＭのインドキシル硫酸標準原液を作製した。この標準原液を１／２倍ずつ段階希釈して、０．１９６μＭ〜１００μＭのインドキシル硫酸標準溶液を作製した。この標準溶液を上記（２）と同様の直接蛍光法（励起波長２８０ｎｍ、発光波長４００ｎｍ）に供して蛍光強度を測定し、インドキシル硫酸濃度と蛍光強度との関係をグラフ化した。その結果、０．１９６μＭ〜１００μＭの範囲でインドキシル硫酸濃度と蛍光強度との間に相関関係があり、検量線を作成することができた。特に、０．１９６μＭ〜２５μＭの範囲において、高い直線性が得られた（図２）。
【００４６】
（４）直接蛍光法とＨＰＬＣ法との相関
精製されたインドキシル硫酸（Aldrich社）を水に溶解して、濃度１０μＭのインドキシル硫酸標準原液を作製した。この標準原液を１／２倍ずつ段階希釈して、０．１５６μＭ〜１０μＭのインドキシル硫酸標準溶液を作製した。この標準溶液を上記（２）と同様の直接蛍光法（励起波長２８０ｎｍ、発光波長３２０ｎｍ〜５００ｎｍ）に供して蛍光強度を測定し、得られた蛍光強度から検量線を作成した。図３に、励起波長２８０ｎｍ、発光波長４００ｎｍの場合の検量線を示す。
各検体の１００倍希釈液の蛍光強度を並行して測定し、検量線から各測定試料のインドキシル硫酸濃度を算出した。得られたインドキシル硫酸濃度値と、上記（１）で得られたＨＰＬＣ法による測定値とを比較した。得られた蛍光強度の値について、発光波長ごとに直接蛍光法とＨＰＬＣ法との相関係数を、EXCELソフトウェア（Microsoft社）のCORREL関数を用いて算出した。
【００４７】
結果を表１に示す。表１に示すように、発光波長が３３０ｎｍ〜５００ｎｍの範囲で、０．８以上の相関係数が得られた。このうち、発光波長が３８０ｎｍ〜４２０ｎｍの範囲で０．９７以上の特に高い相関係数が得られ、４１０ｎｍと４２０ｎｍでＨＰＬＣ法と最も近似した値が得られた。
【００４８】
図４に励起波長２８０ｎｍ、発光波長４００ｎｍの場合における直接蛍光法とＨＰＬＣ法による測定値との関係を示す。図４の縦軸は直接蛍光法（μＭ）、横軸はＨＰＬＣ法によるインドキシル硫酸濃度の測定値（μＭ）である。
【００４９】
【表１】
0006490614.tif 000002
【００５０】
以上のように、尿検体を特に前処理することなくそのまま蛍光測定することによって、尿中のインドキシル硫酸濃度を正確に測定できることが示された。
【図１】
0006490614.tif 000003
【図２】
0006490614.tif 000004
【図３】
0006490614.tif 000005
【図４】
0006490614.tif 000006